(57)【要約】【課題】持ち運びの利便性及び安全性、モードの切り替えの容易性を向上させることができる映像システムの持ち運び及び車両装着用のケースを提供する。【解決手段】本発明の映像システムの持ち運び及び車両装着用のケースは、映像再生機器を収容し、その上部に開口部が形成されている第１ケース部材と、ディスプレイ機器を収容し、その一端が回動可能に前記第１ケース部材の上部に連結され、前記第１ケース部材の開口部を開閉する第２ケース部材と、前記第２ケース部材を前記第１ケース部材の上部に選択的に固定させるための結合手段と、前記第１ケース部材に連結され、前記第１ケース部材を着脱可能に前記車両内の座席に装着させるための１つ以上の装着ベルトとを含むことを特徴とする。【選択図】図５
2005145452.tif 000002
【特許請求の範囲】
【請求項１】
映像システムの持ち運び及び車両装着用のケースであって、
映像再生機器を収容し、その上部に開口部が形成されている第１ケース部材と、
ディスプレイ機器を収容し、その一端が回動可能に前記第１ケース部材の上部に連結され、前記第１ケース部材の開口部を開閉する第２ケース部材と、
前記第２ケース部材を前記第１ケース部材の上部に選択的に固定させるための結合手段と、
前記第１ケース部材に連結され、前記第１ケース部材を着脱可能に前記車両内の座席に装着させるための１つ以上の装着ベルトとを含むことを特徴とする映像システムの持ち運び及び車両装着用のケース。
【請求項２】
前記第２ケース部材の内面に固定されている係止ボタンと、
前記ディスプレイ機器を前記第２ケース部材の内面に着脱可能に装着させるための装着手段を更に含み、
前記装着手段は、
前記ディスプレイ機器を収納し、その後壁の上部に係止溝が設けられるコンテナと、
前記コンテナに収納されるディスプレイ機器のスクリーンを覆い、前記コンテナの下部に連結される前面カバーを備え、
前記装着手段は、前記係止ボタンと係止溝とを連結することにより、前記第２ケース部材の内面に着脱可能に固定されることを特徴とする請求項１に記載の映像システムの持ち運び及び車両装着用のケース。
【請求項３】
前記第２ケース部材が前記第１ケース部材の上部から約２７０°回転すると、前記第２ケース部材は、前記第１ケース部材の正面の手前に位置し、前記第２ケース部材に収容されている前記ディスプレイ機器が前記第２ケース部材の外部に露出されることを特徴とする請求項１に記載の映像システムの持ち運び及び車両装着用のケース。
【請求項４】
前記第１ケース部材はその正面に第１固定テープを備えており、前記第２ケース部材はその上面に第２固定テープを備えることにより、前記第２ケース部材が前記第１ケース部材の上部から約２７０°回転するとき、前記第１固定テープ及び第２固定テープが前記第２ケース部材を前記第１ケース部材に着脱可能に装着させることを特徴とする請求項１に記載の映像システムの持ち運び及び車両装着用のケース。
【請求項５】
映像システムの持ち運び及び車両装着用のケースであって、
映像再生機器を収容し、その上部に開口部が設けられる第１ケース部材と、
前記開口部を開閉し、その一端が回動可能に前記第１ケース部材の上部に連結されるキャップと、
前記第１ケース部材の前面に着脱可能に結合され、ディスプレイ機器を収容するための第２ケース部材と、
前記第１ケース部材に連結され、前記第１ケース部材を前記車両の座席に着脱可能に装着させるための１つ以上の装着ベルトとを含むことを特徴とする映像システムの持ち運び及び車両装着用のケース。
【請求項６】
前記第１ケースの下部に位置し、収納空間を提供するための第３ケース部材を更に含むことを特徴とする請求項５に記載の映像システムの持ち運び及び車両装着用のケース。
【請求項７】
前記第２ケース部材は、その後面に固定されているクランプを有し、前記第１ケース部材は、その正面に設けられるクランプホルダーを有し、前記第２ケース部材は、前記クランプを前記クランプホルダーに連結させることにより、前記第１ケース部材の正面に着脱可能に装着されることを特徴とする請求項５に記載の映像システムの持ち運び及び車両装着用のケース。
【請求項８】
前記第２ケース部材は、
前記ディスプレイ機器のスクリーンを露出させるための、前記第２ケース部材の正面壁に設けられた透明部と、
前記透明部を選択的に覆うための、前記第２ケース部材の後壁に取付けられた保護カバーを含むことを特徴とする請求項７に記載の映像システムの持ち運び及び車両装着用のケース。
【発明の詳細な説明】
【技術分野】
【０００１】
本発明は映像システムの持ち運び及び車両装着用のケースに関し、より詳しくは、映像再生機器やディスプレイ機器を収納して安全に、且つ、容易に持ち運びすることができると共に、車両の座席に着脱され、モードの切り替えが容易である映像システムの持ち運び及び車両装着用のケースに関する。
【背景技術】
【０００２】
最近、自動車内には、ＴＶやビデオを見たりゲームをしたりするためのディスプレイ機器を備えたオーディオ／ビデオシステム（ＡＶシステム）が取り付けられている。
【０００３】
ＡＶシステムは、タッチスクリーン方式の液晶モニタ、ビデオシステム、オーディオシステム、ＣＤチェンジャー、ナビゲーションシステム、ＤＶＤプレイヤー、衛星放送セットトップボックスなどを組み合わせて構成されている。また、ナビゲーション機能に加えて、インターネット、無線通信、音声認識、文字／音声変換などをサポートする機能の多様化又は向上がなされている。
【０００４】
ほとんどの車両用ＡＶシステムは、車両内に「オンダッシュ（on-dash）」方式か「インダッシュ（in-dash）」方式により取り付けられる。オンダッシュ方式とは、自動車のダッシュボード上にＡＶシステムを固定／結合したものである。一方、インダッシュ方式では、ＡＶシステムはダッシュボード内に取り付けられており、パワーボタンを押すと、モニタが上方に突出するように構成されている。
【０００５】
このようなに構成された車両用ＡＶシステムは、一般の家庭用のものよりも取り付け方法が複雑であり、一般の人が取り付けるのは難しいので、取り付けは車両用ＡＶシステムの専門代理店などが行っている。そのため、前記した取り付け方法では、最近要望が高まっている７インチ以上の大型液晶モニタの取り付けに、対応することができないという欠点がある。
【０００６】
そこで、ＡＶシステムを持ち運ぶ及び自動車内に着脱自在に装着するシステムが提案されている。そのシステムの一例は、１９９９年１月２５日付けで特許された「乗用車用ビデオモニタ及びビデオプレイヤーを装着して移送するハウジングのための格納式ケース」に開示されている（特許文献１参照）。
【０００７】
図１は、米国特許第６，０９２，７０５号に開示されている、エンタテインメント用ビデオ部品らを自動車内に着脱可能に装着するための装着システムを示した斜視図である。この装着システムは、エンタテインメント用のビデオ機器を、自動車内に着脱自在かつ安全に装着する。前記装着システムは、ビデオ機器を内部に格納する縦長の長方形状のケース１０と、ケース１０を車両の座席に着脱自在に取り付けるための迅速連結部材２０とを備えている。
【０００８】
フロントパネル１６とメッシュのサイドパネル１２はジッパーにより連結されており、ケース１０の上部及び下部を開閉できるように、それぞれケース１０に取り付けられている。サイドパネル１２は、自動車内の乗員がビデオ機器に近づくことができるように、所定角度で外側に開くことができる。サイドパネル１２の内部には、映像再生機器３が格納されており、ケース１０の上部の内側には、映像再生機器３から信号を受信するディスプレイ機器４が装着ユニット（図示せず）により装着されている。フロントパネル１６を折り畳むと、ケース１０の上部が開放され、ディスプレイ機器４が露出する。
【０００９】
迅速連結部材２０は、自動車の内部床面、第１のヘッドレスト３ａ、及び第２のヘッドレスト３ａの全てに隣接する位置に着脱自在に結合され、固定される。
【００１０】
【特許文献１】米国特許第６，０９２，７０５号
【発明の開示】
【発明が解決しようとする課題】
【００１１】
しかしながら、前記した従来技術では、ケース１０は長いため、持ち運ぶのが不便であり、ケース１０内に格納されている機器が持ち運び中に損傷する恐れがあった。また、ケース１０の上部及び下部を覆っているフロントパネル１６を開くのは、面倒であり、手間がかかるものであった。
【００１２】
したがって、本発明はこのような従来の問題点を解決するためになされたもので、その目的は、持ち運びの利便性及び安全性、モードの切り替えの容易性を向上させることができる映像システムの持ち運び及び車両装着用のケースを提供することにある。
【課題を解決するための手段】
【００１３】
前記のような目的を達成するために本発明の映像システムの持ち運び及び車両装着用のケースは、映像再生機器を収容し、その上部に開口部が形成されている第１ケース部材と、ディスプレイ機器を収容し、その一端が回動可能に前記第１ケース部材の上部に連結され、前記第１ケース部材の開口部を開閉する第２ケース部材と、前記第２ケース部材を前記第１ケース部材の上部に選択的に固定させるための結合手段と、前記第１ケース部材に連結され、前記第１ケース部材を着脱可能に前記車両内の座席に装着させるための１つ以上の装着ベルトとを含むことを特徴とする。
【００１４】
更に、本発明の映像システムの持ち運び及び車両装着用のケースは、映像再生機器を収容し、その上部に開口部が設けられる第１ケース部材と、前記開口部を開閉し、その一端が回動可能に前記第１ケース部材の上部に連結されるキャップと、前記第１ケース部材の前面に着脱可能に結合され、ディスプレイ機器を収容するための第２ケース部材と、前記第１ケース部材に連結され、前記第１ケース部材を前記車両の座席に着脱可能に装着させるための１つ以上の装着ベルトとを含むことを特徴とする。
【発明の効果】
【００１５】
本発明による映像システムの持ち運び及び車両装着用のケースは、映像再生機器やディスプレイ機器を収納して安全に、且つ、容易に持ち運びすることができると共に、車両の座席に着脱され、モードの切り替えが容易である。
【発明を実施するための最良の形態】
【００１６】
以下、本発明の好ましい実施例を添付図面に基づいて詳細に説明する。
【００１７】
図２は、本発明の好適な第１実施例による映像システムの持ち運び及び車両装着用のケースを示す正面斜視図、図３は、作動モードの、本発明の好適な第１実施例による映像システムの持ち運び及び車両装着用のケースを示す正面斜視図、図４は、ディスプレイ機器を収容する装着部材を示す斜視図、図５は、自動車の座席に着脱可能に装着されている、本発明の好適な第１実施例による映像システムの持ち運び及び車両装着用のケースを示す斜視図である。
【００１８】
図２及び図３に示すように、本発明の好適な第１実施例による映像システムの持ち運び及び車両装着用のケース１０００は、映像再生機器１００３をその内部に収容するメインケース１１００と、メインケース１１００の上部にその一端が回動可能に連結され、ディスプレイ機器１００４を収容するカバーケース１２００と、メインケース１１００の上部にカバーケース１２００を選択的に結合させる結合手段１３００と、車両の座席にメインケース１１００を装着するための装着ベルト１４００とを含む。
【００１９】
メインケース１１００は、カバーケース１２００に連結されている上部に設けれる開口部を有し、この開口部を介して、例えば、ビデオカセットプレーヤーやＤＶＤプレーヤー、またはこの２つが結合されているコンビ型映像再生機器から構成される映像再生機器１００３が、メインケース１１００の内部に垂直に挿入される。メインケース１１００に挿入される映像再生機器１００３では、その操作部１００３ａがメインケース１１００の上部に設けられる開口部を介して露出されるように設けられる。
【００２０】
また、メインケース１１００からの映像再生機器１００３の意図しない離脱防止のために、映像再生機器１００３は、メインケース１１００の内部に設けられている弾性の吊紐（図示せず）などにより、その内部に固定されることもできる。
【００２１】
カバーケース１２００は、メインケース１１００の上部の前方一側と一体に連結され、メインケース１１００の上部に設けられる開口部を選択的に開閉することができる。また、カバーケース１２００は、例えば、ジッパーからなる結合手段１３００により、ケース１１００の上部に設けられる開口部を閉状態でメインケース１１００に固定され得る。
【００２２】
カバーケース１２００の内側には、映像再生機器１００３からケーブル１５００を介して伝達される信号を用いて映像を表示する、例えば、ＬＣＤテレビのような、ディスプレイ機器１００４を収容する装着部材１２２０が着脱可能に固着される。図４に示すように、装着部材１２２０の後壁の上部には、一対の係止溝１２２５が形成されており、この係止溝１２２５がカバーケース１２００の内面に固定されている係止ボタン１２２１に係止することにより、ディスプレイ機器１００４を収容する装着部材１２２０がカバーケース１２００に着脱可能に取り付けられる。また、カバーケース１２００の前面カバー１２２２は、一側に開閉可能にカバーケース１２００の下端に回動可能に連結される。また、装着部材１２２０の後壁には、固定ベルト１２２４が設けられ、装着部材１２２０が独立して車両のヘッドレスト１００６ａに着脱可能に装着され得る。
【００２３】
また、ディスプレイ機器１００４は、映像再生機器１００３から信号を受信する機器だけでなく、アンテナ（図示せず）を用いて、放送局または衛星などから信号を受信して映像を表示する機器に構成することもできる。
【００２４】
また、カバーケース１２００の上面及びメインケース１１００の前面に、例えば、ベルクロ（velcro）のような、着脱可能な固定テープ１２１０が固定されていることから、カバーケース１２００がメインケース１１００の開口部を開放したとき、カバーケース１２００がメインケース１１００の前面に着脱可能に固定され得る。更に、カバーケース１２００の上面に、映像システムの持ち運び及び車両装着用のケースの容易な移送のための取っ手１２３０が設けられる。
【００２５】
メインケース１１００の後面の４つの端部に、複数の連結輪１１１０が固定されており、この複数の連結輪１１１０には、装着ベルト１４００が連結される。装着ベルト１４００の数は、制限されていないが、好ましくは、図５に示すように、一対の装着ベルト１４００が用いられる。一対の装着ベルト１４００のうちの一方は、メインケース１１００の後面の上部に固定されている一対の連結輪１１１０にその両端が連結され、座席のヘッドレスト１００６ａに巻着され、他方の装着ベルト１４００は、メインケース１１００の後面の下部に固定されている一対の連結輪１１１０にその両端が連結され、座席のシートバック１００６の下部に巻着される。これにより、映像システムの持ち運び及び車両装着用のケース１０００が座席の後面に着脱可能に装着される。
【００２６】
図２及び図３に示すように、装着ベルト１４００は、中間部分に設けられている装着バックル１４０１により２つに分離されたり、または１つに連結可能である。また、装着ベルト１４００は、その両端に設けられているフック１４０３により、ケース１２００の後面に固定されている連結輪１１１０に着脱可能に連結される。
【００２７】
また、メインケース１１００の前面に、ＤＶＤなどを収容できるポケット１１０２が設けられており、メインケース１１００の側面には、ケース１１００に収容されている映像再生機器１００３の電源供給ケーブル１５１０がケース１１００の外部に延在できるようにするためのケーブル開口部（図示せず）が設けられており、この開口部を覆っている開口部蓋１１０１が設けられる。電源供給ケーブル１５１０は、車両のシガージャック（図示せず）に電気的に連結され、映像再生機器１００３に電源を供給する。
【００２８】
以下、このように構成された本発明による映像システムの持ち運び及び車両装着用のケース１０００の作用を説明する。
【００２９】
図５に示すように、結合手段１３００を開放し、カバーケース１２００を約２７０°回転させることにより、カバーケース１２００がメインケース１１００の上部に設けられる開口部を開放し、固定テープ１２１０によりメインケース１１００の正面に固定される。この後、ディスプレイ機器１００４を収容する装着部材１２２０は、装着部材１２２０の後壁に設けられている係止溝１２２５をカバーケース１２００の内面に固定されている係止ボタン１２２１に係止することにより、カバーケース１２００の内面に着脱可能に装着される。前面カバー１２２２は開けられて、ディスプレイ機器１００４の画面が見えるようにする。
【００３０】
映像再生機器１００３では、操作部１００３ａがケース１１００の上部に設けられる開口部を介して露出されるように、ケース１１００に挿入される。また、ディスプレイ機器１００４と映像再生機器１００３は、このディスプレイ機器１００４と映像再生機器１００３間で信号を伝送すると共に、ディスプレイ機器１００４に電源を供給するケーブル１５００により、連結される。
【００３１】
一方の装着ベルト１４００では、メインケース１１００の後面の上部に固定されている一対の連結輪１１１０に、装着ベルト１４００の両端に設けられているフック１４０３を連結し、ヘッドレスト１００６ａに巻着する。更に、他方の装着ベルト１４００では、メインケース１１００の後面の下部左右に固定されている一対の連結輪１１１０に装着ベルト１４００の両端に設けられているフック１４０３を連結し、座席のシートバック１００６の下部に巻着する。
【００３２】
このように車両の座席に着脱可能に固定された映像システムの持ち運び及び車両装着用のケース１０００に収容されている映像再生機器１００３には、ケース１１００の側面に設けられるケーブル開口部を介して延在される電源供給ケーブル１５１０を介して、シガージャック（図示せず）から電源が供給される。
【００３３】
次に、操作部１００３ａを操作して、ビデオカセットやＤＶＤなどを映像再生機器１００３にローディングし再生することにより、映像再生機器１００３からディスプレイ機器１００４にケーブル１５００を介して信号が伝達され、映像が作られるようにする。
【００３４】
また、カバーケース１２００の内面に取り付けられている装着部材１２２０は、カバーケース１２００から取り外し、装着部材１２２０の左右に設けられている固定ベルト１２２４により、車両のヘッドレスト１００６ａに装着することもできる。
【００３５】
映像システムの持ち運び及び車両装着用のケースを、車両の座席から取り外して別途の場所に保管するか、或いは、持ち運びしようとする場合、先ず、装着部材１２２０の前面カバー１２２２を再び取り付けて、カバーケース１２００をメインケース１１００の前面の固定テープ１２１０から取り外して回転させ、メインケース１１００の上部に設けられる開口部を覆う。この後、例えば、ジッパーなどからなる結合手段１３００を閉じて、カバーケース１２００がケース１１００の上部に固定されるようにする。
【００３６】
その後、装着ベルト１４００のフック１４０３をメインケース１１００に固定されている連結輪１１１０から外して、映像システムの持ち運び及び車両装着用のケース１０００を車両の座席から取り外す。
【００３７】
また、ケース１１００から取り外された装着ベルト１４００は、ケース１１００の内部空間に、または、ケース１１００の前面に設けられているポケット１１０２に保管され得る。
【００３８】
図６〜図１２を参照して、本発明の好適な第２実施例による映像システムの持ち運び及び車両装着用のケースを説明する。
【００３９】
映像システム１０は、ディスク及び磁気テープのような格納媒体に記録されている映像信号及びオーディオ信号を再生して、これに対応する信号を生成する映像再生機器２０と、ケーブル（図示せず）を介して映像再生機器２０から生成される信号を受信し、これに対応する映像を表示するディスプレイ機器３０から構成される。
【００４０】
映像再生装置２０としては、ＤＶＤプレーヤーなどが用いられ、ディスプレイ機器３０としては、通常、薄くて、軽いＬＣＤモニターが用いられるが、これらに限られるものではない。また、ディスプレイ機器３０は、映像再生機器２０からの信号を再生するものではなく、外部、例えば、放送局又は衛星から受信される無線信号を再生して表示できるものに構成され得る。
【００４１】
映像再生機器２０は、駆動電源を供給されるための電源ケーブル（図示せず）を備え、この電源ケーブルは、電源コードの形態、または車両内に装着されているシガージャックに連結される形態であり得る。また、映像再生機器２０は、本体上に操作部を備えて、使用者が操作部により入力する制御信号により作動する。
【００４２】
一方、本発明による映像システムの持ち運び及び車両装着用のケース１００は、映像再生機器２０を内部に収容するメインケース１１０と、メインケース１１０の前面に着脱可能に結合され、ディスプレイ機器３０を内側に収納するサブケース１２０と、メインケース１１０を車両の座席に着脱可能に装着するためのベルト手段１３０とを含む。
【００４３】
メインケース１１０は、内部に映像再生機器２０を収容するために空間を有し、上部に設けられる開口部を有する。メインケース１１０の上部の一側には、開口部を開閉できるカバー１１１が回動可能に連結され、固定手段であるジッパー１１１ａにより、カバー１１１がメインケース１１０の上部に結合される。
【００４４】
メインケース１１０の上部の開口部を介して、映像再生機器２０がメインケース１１０に挿入される。メインケース１１０に挿入されている映像再生機器２０は、その操作部が開口部を介して露出されるように収容される。これにより、使用者は、ディスクまたはカセットテープをローディングまたはアンローディングし、且つ、操作部の操作キーなどを円滑に操作することができる。また、カバー１１１を閉じることにより、収納されている映像再生機器２０がメインケース１１０から外部に離脱することを防止する。
【００４５】
サブケース１２０は、メインケース１１０の前面に着脱可能に結合されるものであって、内部にディスプレイ機器３０を収容するために収納空間を有する。サブケース１２０の前面には、サブケース１２０に収容されているディスプレイ機器３０のスクリーンをサブケース１２０の外部から視聴できるように、透明材質からなる透明部１２２が設けられている。また、ディスプレイ機器３０の画面部に相応するサブケース１２０の部分は、ディスプレイ機器のスクリーンを露出させるための開口部として形成され得る。
【００４６】
サブケース１２０の上部には、開口部が形成されており、この開口部を介して、ディスプレイ機器３０が垂直方向にサブケース１２０に挿入される。サブケース１２０は、保護カバー１２１を有している。前記保護カバー１２１は、サブケース１２０の後壁上方に取着されており、サブケース１２０の上部に形成された開口部及び、ディスプレイ機器３０のスクリーンに対応するサブケース１２０の透明部分１２２を覆ってディスプレイ装置３０のスクリーンを保護する。保護カバー１２１の内面には、固定テープ（図示せず）が取り付けられており、この固定テープは、メインケース１１０の前面に取り付けられている固定テープ１２３に取り付けられ得る。
【００４７】
保護カバー１２１は、映像システムの持ち運び及び車両装着用のケースの持ち運びや保管の際に、サブケース１２０の透明部１２２及びサブケース１２０の上部に設けられる開口部を覆うように閉じることにより、サブケース１２０に収容されているディスプレイ機器３０が、外部に離脱することを防ぐと共に、ディスプレイ機器３０のスクリーンが外部の衝撃などにより損傷することを防止する。
【００４８】
また、保護カバー１２１を上側に巻き上げ、保護カバー１２１の内面に取り付けられている固定テープ（図示せず）をメインケース１１０の前面の上部に取り付けられている固定テープ１１２に取り付けることにより、保護カバー１２１の開放状態が保持されるようにし、使用者が円滑に画面を視聴することができるようにする。
【００４９】
また、サブケース１２０に収容されているディスプレイ機器３０の画面を視聴するために保護カバー１２１を開放した状態で、ディスプレイ機器３０がサブケース１２０の上部に形成されている開口部を通して離脱することを防止するために、サブケース１２０の上部の開口部の一部を防ぐことのできる離脱防止紐のような離脱防止手段が備えられることもできる。
【００５０】
以下、メインケース１１０の前面に、サブケース１２０が着脱可能に結合される方法について説明する。
【００５１】
図７に示すように、メインケース１１０の前面には、サブケース１２０を着脱可能にメインケース１１０に取付するための一対のクリップホルダー１１３と固定テープ１１４が設けられる。一対のクリップホルダー１１３は、サブケース１２０の保護カバー１２１を開放するとき、保護カバー１２０をメインケース１１０に固定させるための固定テープ１１２よりも下方に位置し、固定テープ１１４は、クリップホルダー１１３よりも下方に位置する。
【００５２】
また、図９に示すように、サブケース１２０の後面には、メインケース１１０との脱着可能な結合のための一対のクリップ１２４と、その下方に設けられている固定テープ１２５が備えられる。
【００５３】
サブケース１２０をメインケース１１０に結合させるために、一対のサブケース１２０のクリップ１２４を、これに対応するメインケース１１０の一対のクリップホルダー１１３に挿入し、これと同時に、サブケース１２０の固定テープ１２５をメインケース１１０の固定テープ１１４と結合させる。
【００５４】
また、映像再生機器２０とディスプレイ機器３０は、オーディオ／ビデオ／制御データを送受信するためのケーブル、映像再生機器２０からディスプレイ機器３０に駆動電源を供給するための電源供給ケーブルなど、様々なケーブルで相互連結される。これにより、図７及び図９に示すように、このようなケーブルらの映像再生機器２０とディスプレイ機器３０との間の連結を便利にするため、メインケース１１０とサブケース１２０には、ケーブル引込ホール１１５、１２６がそれぞれ形成される。
【００５５】
図７に示すように、メインケース１１０のカバー１１１の上面には、映像システムの持ち運び及び車両装着用のケースを持ち運びするとき、使用者が便利に把持するための取っ手１１１ｂが設けられる。また、メインケース１１０の両側面の上部にはそれぞれ、第１連結輪１１７ａが取り付けられており、この第１連結輪１１７ａに持ち運び用ベルト（図示せず）が連結されることにより、使用者が持ち運び用ベルトを肩にかけて映像システムの持ち運び及び車両装着用のケース１００を移動させることができる。
【００５６】
また、図８に示すように、メインケース１１０の背面の上下左右の４つの端には、第２連結輪１１７ｂがそれぞれ取り付けられ、この第２連結輪１１７ｂにベルト手段１３０が連結されることにより、後述のように、映像システムの持ち運び及び車両装着用のケース１００が車両の座席の後方に装着され得る。
【００５７】
持ち運び用ベルトは、その長さの調節が可能であり、その両端に迅速な連結のためのフックが取り付けられている。ベルト手段１３０は、１つ以上の多数個が用いられ、その両端には迅速な連結のためのフックが取り付けられている。また、ベルト手段１３０の一端にはフックが、他端には留め金が取り付けられ得る。フックは、第２連結輪１１７ｂに連結されているとき、第２連結輪１１７ｂからの離脱が防がれる構造に形成され、留め金は他の物体に掛けることができる構造に形成される。また、ベルト手段１３０は、中間部位にバックル１３１が備えられることもできる。
【００５８】
また、メインケース１１０の底部には、映像再生機器２０及びディスプレイ機器３０などに用いられるケーブルなどを収納するための収納空間を提供するためのケーブルケース１１６が備えられる。ケーブルケース１１６の収納空間とメインケース１１０の収納空間との間には、両方の収納空間を分離するための仕切板（図示せず）が設けられると共に、両方の収納空間を連通させるための連通孔（図示せず）が仕切板に形成されている。ケーブルケース１１６は、ジッパー１１６ａにより開閉できるようになっている。また、図８に示すように、ケーブルケース１１６の後面には、ここに設けられるケーブル引出ホールを覆うための蓋１１６ｂが形成されており、このケーブル引出ホールを介して、映像再生機器２０に連結されているケーブルをメインケース１１０の外部に引き出すことができる。
【００５９】
図７に示すように、メインケース１１０の側面には、リモコンなどを収納するための側面ポケット１１８が備えられる。側面ポケット１１８は、上部に開口部を有し、この開口部からリモコンなどを挿入することができる。
【００６０】
また、図８に示すように、メインケース１１０の背面には、収納空間を提供するための背面ポケット１１９が設けられる。背面ポケット１１９は、上部に開口部を有し、この開口部から様々な付属品などを挿入することができる。背面ポケット１１９は、上部の開口部を開閉させるためのポケットカバー１１９ａを備えられる。
【００６１】
また、映像システム１０の映像再生機器２０またはディスプレイ機器３０には、音声が出力される音声出力部と、その他の動作状態を表示する動作表示部が備えられ、このような音声出力部や動作表示部の位置に対応するメインケース１１０及びサブケース１２０の各部分には貫通孔が形成され得る。
【００６２】
以下、映像システムの持ち運び及び車両装着用のケース１００を車両の内部に装着することについて説明する。
【００６３】
映像システムの持ち運び及び車両装着用のケース１００は、第２連結輪１１７ｂに装着用ベルト１３２を連結して車両の座席の後面に装着することができ、映像システムの持ち運び及び車両装着用のケース１００の装着方式の一例が図１０に示されている。
【００６４】
図１０に示す装着方式は、１つの座席の後面に装着する場合であって、メインケース１１０を座席の後面に装着するために、メインケース１００の後面の上部に取り付けられている一対の第２連結輪１１７ｂに結合される装着用ベルト１３２が座席のヘッドレスト２００ａに巻着され、且つ、メインケース１１０の後面の下部に取り付けられている一対の第２連結輪１１７ｂに結合される他の装着用ベルト１３２が座席のシートバック２００の下部に巻着される。
【００６５】
また、２つの座席を用いて、メインケース１２０を車両に装着することもできる。
【００６６】
また、本発明による映像システムの持ち運び及び車両装着用のケース１００は、図１１に示すように、メインケース１１０から外されたサブケース１２０が座席の後面に取り付けられることもできる。このような場合は、別途のベルト１３３を座席のヘッドレスト２００ａやシートバック２００に巻着した後、サブケース１２０の背面に設けられているクリック１２４をベルト１３３にさせる。
【００６７】
また、映像システムの持ち運び及び車両装着用のケース１００を持ち運びして移動する途中、使用者はメインケース１１０からサブケース１２０を取り外し、サブケース１２０を手で把持し、ディスイプレイ機器３０から出力される映像を視聴することができる。
【００６８】
また、使用者は、家庭、事務室などで様々な方式で、本発明による映像システムの持ち運び及び車両装着用のケース１００を適切に装着したり位置させたりすることにより、映像を視聴することができる。
【００６９】
以上のように、本発明による映像システムの持ち運び及び車両装着用のケース１００は、１つの映像システム１０を持ち運びすることで、車両に装着したり、または室内に装着するなど、様々な環境で用いられるようにすることができる。
【００７０】
以上の内容は本発明の好ましい実施例を例示したものに過ぎないもので、本発明は、請求範囲に開示された本発明の範囲内で多様に変更及び修正可能なものである。
【図面の簡単な説明】
【００７１】
【図１】車内の座席に装着されている従来の装着システムを示す斜視図である。
【図２】本発明の好適な第１実施例による映像システムの持ち運び及び車両装着用のケースを示す正面斜視図である。
【図３】作動モードの、本発明の好適な第１実施例による映像システムの持ち運び及び車両装着用のケースを示す正面斜視図である。
【図４】本発明の好適な第１実施例による装着部材を示す正面斜視図である。
【図５】車内の座席に着脱可能に装着されている本発明の好適な第１実施例による映像システムの持ち運び及び車両装着用のケースを示す斜視図である。
【図６】作動モードの、本発明の好適な第２実施例による映像システムの持ち運び及び車両装着用のケースを示す正面斜視図である。
【図７】サブケースがメインケースから取り外されている、本発明の好適な第２実施例による映像システムの持ち運び及び車両装着用のケースを示す正面斜視図である。
【図８】ベルト手段がメインケースから取り外されている、本発明の好適な第２実施例による映像システムの持ち運び及び車両装着用のケースを示す後面斜視図である。
【図９】本発明の好適な第２実施例による映像システムの持ち運び及び車両装着用のケースのサブケースを示す後面図である。
【図１０】メインケースが着脱可能に車内の座席に装着されている、本発明の好適な第２実施例による映像システムの持ち運び及び車両装着用のケースを示す斜視図である。
【図１１】ヘッドレストに装着されている、本発明の好適な第２実施例による映像システムの持ち運び及び車両装着用のケースを示す斜視図である。
【符号の説明】
【００７２】
３ａ、２００ａ、１００６ａ  車両のヘッドレスト
３、１００３  映像再生機器
４、３０、１００４  ディスプレイ機器
１００、１０００  ケース
１１０、１１００  メインケース
１１１  カバー
１１１ｂ  取っ手
１１２、１１４、１２３、１２５、１２１０  固定テープ
１１３  クリップホルダー
１１５、１２６  ケーブル引込ホール
１１６  ケーブルケース
１１６ｂ  蓋
１１７ａ  第１連結輪
１１７ｂ  第２連結輪
１１８  側面ポケット
１１９  背面ポケット
１２０  サブケース
１２１  保護カバー
１２２  透明部
１２４  クリップ
１３０  ベルト手段
１３１  バックル
２００、１００６  シートバック
１００３ａ  操作部
１１００  メインケース
１１０１  開口部蓋
１１０２  ポケット
１１１０  連結輪
１２００  カバーケース
１２２０  装着部材
１２２１  係止ボタン
１２２２  前面カバー
１２２４  固定ベルト
１２２５  係止溝
１３００  結合手段
１４００  装着ベルト
１４０１  装着バックル
１４０３  フック
１５００  ケーブル
１５１０  電源供給ケーブル
【図１】
2005145452.tif 000003
【図２】
2005145452.tif 000004
【図３】
2005145452.tif 000005
【図４】
2005145452.tif 000006
【図５】
2005145452.tif 000007
【図６】
2005145452.tif 000008
【図７】
2005145452.tif 000009
【図８】
2005145452.tif 000010
【図９】
2005145452.tif 000011
【図１０】
2005145452.tif 000012
【図１１】
2005145452.tif 000013